(57)【要約】【課題】本発明の目的は、大容量のマルチメディア信号処理装置における、共通信号処理部のデータ輻輳を抑制することである。【解決手段】入力データに所定の処理を施してから出力する複数の信号処理部と、該複数の信号処理部の出力に対して共通の信号処理部として動作する共通信号処理部とを備えた信号処理システムにおいて、該共通信号処理部が処理可能なデータ量から該複数の信号処理部に入力されたデータに対して前記所定の処理を行うことで得られるデータ量を差し引いて得られるデータ量を、該複数の信号処理部間で所定の配分率で配分して得られるデータ量を算出するデータ量算出手段と、前記複数の信号処理部のうちの１つの信号処理部が処理した結果のデータ量に、該データ量算出手段により算出された対応するデータ量を加えたデータ量を該１つの信号処理部から前記共通信号処理部への出力データとして出力可能なデータ量として制御する制御手段とを備えたことを特徴とする信号処理システムを用いる。【選択図】        図６
2006319800.tif 000002
【特許請求の範囲】
【請求項１】
入力データに所定の処理を施してから出力する複数の信号処理部と、該複数の信号処理部の出力に対して共通の信号処理部として動作する共通信号処理部とを備えた信号処理システムにおいて、
該共通信号処理部が処理可能なデータ量から該複数の信号処理部に入力されたデータに対して前記所定の処理を行うことで得られるデータ量を差し引いて得られるデータ量を、該複数の信号処理部間で所定の配分率で配分して得られるデータ量を算出するデータ量算出手段と、
前記複数の信号処理部のうちの１つの信号処理部が処理した結果のデータ量に、該データ量算出手段により算出された対応するデータ量を加えたデータ量を該１つの信号処理部から前記共通信号処理部への出力データとして出力可能なデータ量として制御する制御手段と、
を備えたことを特徴とする信号処理システム。
【請求項２】
前記所定の配分率で配分したデータ量は、前記複数の信号処理部間に均等に配分したデータ量であることを特徴とした請求項１記載の信号処理システム。
【請求項３】
請求項１記載の共通信号処理部はATMスイッチとし、請求項１記載の複数の信号処理部が所定の処理を行うことで得られるデータ量は、ATMスイッチが該複数の信号処理部へ接続するため外部から受信したデータ量総数の計数値を用い、該計数値を複数の信号処理部における所定の処理によるデータ量の増加率に等しい倍率で増加させたデータ量としたことを特徴とする請求項１記載の信号処理システム。
【請求項４】
請求項１記載の制御手段は、前記複数の信号処理部が出力予定とするデータ量を許容された１つのタイミング区間内で計数して累積し、該計数した累積値が請求項１記載の出力可能なデータ量以下の場合は該出力予定とするデータ量を出力し、該出力可能なデータ量を超える場合は次の出力タイミング区間までデータ出力を停止する制御を行うことを特徴とした請求項１記載の信号処理システム。
【請求項５】
前記複数の信号処理部が出力予定とするデータ量は、該複数の信号処理部における所定の処理を完了したデータ量と、請求項１記載の制御手段による制御の結果該複数の信号処理部の出力用バッファに残されたデータ量と、再送要求によるデータ量との和とすることを特徴とした請求項１記載の信号処理システム。
【発明の詳細な説明】
【技術分野】
【０００１】
本発明は、信号処理システムに関し、特に、マルチメディア信号処理装置に用いて好適な信号処理システムに関する。
【背景技術】
【０００２】
IMT-2000システム等における移動体通信では、音声、データ、動画像などの多様なマルチメディアのサービスを行うため、ユーザ移動端末間の通信経路に、マルチメディア信号処理装置を備えて、各種のプロトコル変換（データ形式の変換）を行っている。移動端末の無線信号を送受信する無線基地局から、遠方の端末まで信号を伝えるには、例えば、パケット交換データにおけるプロトコル変換等のパケット信号処理機能や、データ誤りの検出のためのCRC(Cyclic Redundancy Check)符号の追加や、音声データにおけるAMR(Advanced Multi Rate CODEC)からμ-law PCM(非直線量子化PCM)への変換をする音声信号処理機能などが必要である(非特許文献１参照)。これらのデータ信号処理を行う、マルチメディア信号処理装置において、加入者の増大や動画などの高速データの増加に対応するため、１台の処理カードの能力では対応できなくなり、複数の処理カードで分担して行うようになって来ている。
【０００３】
また、通信回線経路におけるデータ輻輳や、品質低下によって発生する、データ誤りによる再送要求を抑圧するため、送信するデータ速度を制御する方法が用いられることがある（特許文献１参照）。
【０００４】
図１に、マルチメディア信号処理装置を備えた、従来の移動通信システムの構成例を示す。
【０００５】
図において、１０１はマルチメディア信号処理装置全体を示し、１０２は移動交換機を示し、移動通信システムのコアネットワークに接続している。１０３は、ATMスイッチ動作により、移動交換機１０２から入力した１系列のデータを、３台のIP終端カードに分配したり、３台のIP終端カードからのデータを無線回線制御装置に、１系列の信号として時間的に多重化する。
【０００６】
１０４はIP終端カードを示し、分担した加入者からの信号に対し、プロトコル変換の信号処理を行う。
【０００７】
１０５は無線回線制御装置を示し、無線基地局と接続され、この無線基地局と移動端末との間の無線回線の回線接続制御やハンドオーバー制御等を行う。
【０００８】
１０６、１０７は、無線基地局と移動端末を示し、通信可能なゾーン内で無線通信を行う。
・「マルチメディア信号処理装置の動作」  
図１により、マルチメディア信号処理装置の動作を説明する。
移動交換機１０２よりマルチメディア信号処理装置１０１に伝送される信号は、多数の加入者信号が時間的に多重化された、１系列のATMセルデータであり、ATMスイッチ１０３に入力される。本図の例の場合、上記ユーザからのデータを、３つのグループに分けて信号処理を分担させるため、１０３は、IP終端カード１０４１，１０４２，１０４３にATMスイッチして接続する。各IP終端カードで信号処理されたデータは、１０３のスイッチ機能により、１系列の信号に時間多重化され、無線回線処理部１０５に出力される。
無線回線制御部からのデータは、複数の無線基地局１０６１、１０６２・・・１０６ｎに分岐され、各無線基地局からそれぞれ送信される。移動端末１０７１，１０７２・・・１０７ｍは対応する無線基地局からデータを無線回線を介して受信する。
【非特許文献１】立川敬二（監修）“W-CDMA移動通信方式”、丸善株式会社、pp208〜209、２００４年１０月２０日発行、第７版.
【特許文献１】特開平８−３１６９６６号公報
【発明の開示】
【発明が解決しようとする課題】
【０００９】
上記で説明した、図１のマルチメディア信号処理装置１０１において、移動通信のユーザ数の増加に対応するため、ユーザからの信号処理を複数のIP終端カードで行う。各IP終端カードは、SW１０３から送信されたATMセルデータに対し、エンドセルを受信したタイミングで信号処理を行い、処理データをＳＷ１０３に出力する。即ち、複数のIP終端カードからのデータ出力は、ＳＷからバースト的に送信されたエンドセル毎のタイミングで行われるので、同一のタイミング区間内に重なることがある。
【００１０】
上記の状態が起きる例を、図２により具体的に説明する。
【００１１】
図において、D２０１は、スイッチ１０３への入力ATMセルデータ、D２０２、Ｄ２０３、Ｄ２０４は、それぞれIP終端カード１０４、１０５、１０６からの出力ATMセルデータを示す。
【００１２】
図２のデータD２０１のうち、始めのATMセル２−１Ｌ１と、３セル置きに配置された２−ｌＬ１は、４つ目のセルでend（エンド)となる。IP終端カード１０４は、このendセルを受信してから、４個で１組のセルデータについて信号処理し、５個で１組のATMセルに変換する。従って、図のD２０２に示す様に、この場合５個のATMセルが１組となって、SW１０３へ出力される。他の２つのIP終端カード１０４２，１０４３も、上記１０４１と同様にして、SW１０３からのendセルを受信してから信号処理し、５個のATMセルを１組のデータとして、SW１０３に出力する。
【００１３】
図２において、各タイミング時間におけるATMセルデータの帯域幅（ATMセルデータ数）について検討する。SW１０３のATMセルの最大処理能力を６０００ ｐｐｓ (packet per second：１秒当たりのATMセル数)、SW１０３からＩＰ終端カード１台あたりへの割り当て入力を１０００ｐｐｓ、データ処理結果のデータ数増加による最大出力能力を、３０００ｐｐｓとする。
IP終端カードでのIPパケット処理は、endセルを受信してからが行われる。図２の例では、各カードがタイミング１にて全endセルを受信しているため、各カードではタイミング１期間内にIPパケット処理が完了し、各カードが最大能力にてATMセルの送信を行う。従って、図２のタイミング２の区間では、３つのタイミングスロットのすべにおいて、
IP終端カード１０４１、１０４２、１０４３の出力データが同時に重なり、３０００ｐｐｓが３組、同時にＳＷ１０３に出力する。従って、このタイミングスロットにおいて、ＳＷ１０３への入力データ量は、３０００ｐｐｓ×３＝９０００ｐｐｓで、ＳＷの最大処理能力６０００ｐｐｓを超える。
【００１４】
この様に、ＳＷ１０３の処理能力を超えると、データ欠落となり、再送パケットの発生を招き、スループット（データ転送量）の低下となる課題があった。
【００１５】
上記に示した現象は、トラフィック増加などにより、ユーザからのATMデータが増加し、且つIP終端カードへのendセル入力のタイミングが重なった時に、IP終端カードからのデータ出力が同一タイミングで増加する場合である。このバースト的なデータ増加は、上記の他に、ネットワークのどこかにおける品質低下（例えば無線回線における、フェージングによる信号対雑音比S/Nの低下）等によるデータの誤りの結果、自動再送機能（ARQ：Automatic Repeat reQuest）が働く時にも、過大な再送データが増加が発生する。この対策として、ＳＷやＩＰ終端カードの処理能力を、増大させることも考えられるが、通常時には、低いデータレートで動作しているので、過剰なコストの装置になるという課題となる。
【００１６】
従って、本発明の目的の１つは、複数の信号処理部からの出力データを共通の信号処理部に多重化して出力する場合のデータの輻輳を防止することである。
【００１７】
尚、上記目的に限らず、後述する発明を実施するための最良の形態に示す各構成により導かれる結果であって、従来の技術によっては得られない効果を奏することも、本発明の他の目的の１つとして位置付けることができる。
【課題を解決するための手段】
【００１８】
（１）本発明では、入力データに所定の処理を施してから出力する複数の信号処理部と、該複数の信号処理部の出力に対して共通の信号処理部として動作する共通信号処理部とを備えた信号処理システムにおいて、該共通信号処理部が処理可能なデータ量から該複数の信号処理部に入力されたデータに対して前記所定の処理を行うことで得られるデータ量を差し引いて得られるデータ量を、該複数の信号処理部間で所定の配分率で配分して得られるデータ量を算出するデータ量算出手段と、前記複数の信号処理部のうちの１つの信号処理部が処理した結果のデータ量に、該データ量算出手段により算出された対応するデータ量を加えたデータ量を該１つの信号処理部から前記共通信号処理部への出力データとして出力可能なデータ量として制御する制御手段と、を備えたことを特徴とする信号処理システムを用いる。
（２）本発明では、前記所定の配分率で配分したデータ量は、前記複数の信号処理部間に均等に配分したデータ量であることを特徴とした請求項１記載の信号処理システムを用いる。
（３）本発明では、請求項１記載の共通信号処理部はATMスイッチとし、請求項１記載の複数の信号処理部が所定の処理を行うことで得られるデータ量は、ATMスイッチが該複数の信号処理部へ接続するため外部から受信したデータ量総数の計数値を用い、該計数値を複数の信号処理部における所定の処理によるデータ量の増加率に等しい倍率で増加させたデータ量としたことを特徴とする請求項１記載の信号処理システム。
（４）本発明では、請求項１記載の制御手段は、前記複数の信号処理部が出力予定とするデータ量を許容された１つのタイミング区間内で計数して累積し、該計数した累積値が請求項１記載の出力可能なデータ量以下の場合は該出力予定とするデータ量を出力し、該出力可能なデータ量を超える場合は次の出力タイミング区間までデータ出力を停止する制御を行うことを特徴とした請求項１記載の信号処理システムを用いる。
（５）本発明では、前記複数の信号処理部が出力予定とするデータ量は、該複数の信号処理部における所定の処理を完了したデータ量と、請求項１記載の制御手段による制御の結果該複数の信号処理部の出力用バッファに残されたデータ量と、再送要求によるデータ量との和とすることを特徴とした請求項１記載の信号処理システムを用いる。
【発明の効果】
【００１９】
本発明によれば、共通信号処理部におけるデータの輻輳を抑圧することが出来る。
【発明を実施するための最良の形態】
【００２０】
以下、図面を参照することにより、本発明の実施の形態について説明する。
（実施例１）
この実施例においては、複数の信号処理部の出力データ量の和を、共通信号処理部で処理可能なデータ量の最大値以下に制御することとする。
【００２１】
本実施例における全体的な装置の配置関係は、図１と同じである。
【００２２】
まず、本実施例における全体的なプロトコルスタック、データ変換について説明しておく。
・「各部における信号処理によるプロトコルスタック構造」
図３に、各部における信号処理号を説明するため、各部におけるプロトコルスタック（下位レイヤから上位レイヤにわたる垂直方向の階層構成）を示す。
【００２３】
図３において、図１と同じものは、同一の番号を付してある。
図において、３０１は、移動交換機１０２におけるプロトコルスタックを示し、３０２はIP終端カード１０４におけるプロトコルスタックを示し、３０３は無線回線制御部１０５におけるプロトコルスタックを示す。
【００２４】
移動交換機１０２では、コアネットワークから受信したIPパケットデータを、AAL5(ATM Adaptation Layer タイプ５)に変換し、必要な信号処理を行い、ATMセルをSW１０３に出力する。図３において、SW１０３では、データのスイッチやメモリなどを行うが、データ形式はATMセルのままである。SW１０３から、IP終端カード１０４に分配されたATMセルは、１０４において、AAL５レイヤ、IPパケットデータに変換され信号処理される。更にその後、IP終端カード１０４は、無線回線処理部に送信するためPDUレイヤ、AAL2レイヤに変換して必要な信号処理を行い、最後にATMセルに変換してSW１０３に出力する。共通信号処理部としてのSW１０３では、レイヤ変換は無く、複数のIP終端カードからのATMセルをスイッチして、時間的に１系列のATM信号に多重化し、無線回線制御部１０５に出力する。このATM信号を受信した無線回線制御部１０５は、無線基地局に接続するための信号処理を、AAL2、PDUに変換して行い、PDUレイヤにて無線基地局に出力する。  
・「実施例１の、IP終端カードにおける信号処理」
本実施例における、IP終端カードにおける信号処理を、図４により詳細に説明する。
図４において、４０１は移動交換機１０２における処理区間を示し、４０２はＳＷ１０３における処理区間を示し、４０３はIP終端カード１０４における処理区間を示す。
【００２５】
本実施例では、図の４０１の区間の処理に示す様に、移動交換機１０２が、１個のIPパケットに対し、４個のATMセルに変換して、SW１０３に出力する。SW１０３では、前記のATMセルを、ATMスイッチ機能により、複数のIP終端カード（本実施例では３個のIP終端カード）に分配するだけで、レイヤはATMセルのままである。図４において、区間４０３では、１個のIP終端カードに置けるレイヤ変化を示すが、他の２個のIP終端カードでも、信号処理によるレイヤ変化は同じである。
【００２６】
図４の区間４０３において、IP終端カードでは、受信した４個のATMセルにより、１組のIPパケットに組み上げ、意味あるデータとする。そして、IPパケットのレイヤにて、マルチメディア信号処理装置として必要な信号処理を行う。次に、IP終端カード１０４は、CRC符号の追加や、バイト数の整合のための符号追加（Padding）などを行い、１個のIPパケットに対し、３個のPDUレイヤに変換して、無線回線処理部と通信するための信号処理を行う。最後にこの３個のPDUデータに対し、６個のATMセルに変換して、SWに出力する。
【００２７】
以上のように、IP終端カード１０４に入力されるATMセルに対して、IP終端カード１０４から出力されるATMセルは、処理により、データ量が増大する関係にあることが分かる。
・  「実施例１の、IP終端カードにおける送信制御」
実施例１の解決方法の要点は、３台のIP終端カードの出力ATMセル数の和を、ＳＷの最大処理能力以下に制御する事である。ここでは、SWの処理能力Mw（処理可能な最大ATMセル数）は、IP終端カードへの出力に対しても、IP終端カードからの入力に対しても同じで、Mw＝１００００ｐｐｓであるとする。即ち、３台のIP終端カードの出力可能な最大ATMセル数、Tamax1、Tamax2、Tamax3の和を、３台のIP終端カードへのATM受信数の最大値MwもしくはMw以下にすればよい。上記の関係を式で表すと以下となる。
【００２８】
【数１】
2006319800.tif 000003
【００２９】
また、全部のIP終端カードへ入力するATMセル数の最大値の総和と、全部のIP終端カードから出力可能な最大ATMセル数の総和の比を、パケット送信比率αとすると、
【００３０】
【数２】
2006319800.tif 000004
【００３１】
本実施例１の場合、この値をα１とすれば、（１）、（２）式より、
【００３２】
【数３】
2006319800.tif 000005
【００３３】
通常時は、移動交換機よりSWへ入力するATMセル数は、許容最大値Mwより少ない値でありこれをYwとし、その比をβとすると、
【００３４】
【数４】
2006319800.tif 000006
【００３５】
（４）式のβの値を通知レベル（OＬ）と称することとし、SW１０３がカウントし、IP終端カードに通知する。例えば、ＳＷへの入力ATMセル数が２５００の時は、β＝２５００/１００００＝０．２５となる。
IP終端カードへ入力したATMセルデータが少ない時は、信号処理してそのまま出力したATMセル数が、許容最大値より少ないことがある。この許容最大値と、実際の入力ATMセル数の差は、出力のデータ数を追加して増加させられる余裕分量であり、増加分送信量ASと称することとする。IP終端カード１０４１、１０４２、１０４３への入力ATMセル数を、Ra1,Ra2, Ra3とすると、入力ATMセルの総和は上記よりYwとしたので、
【００３６】
【数５】
2006319800.tif 000007
【００３７】
上記の増加分送信量ASについて、説明の都合上、IP終端カードの入力に換算した値としX１、Ｘ２、Ｘ３とすると、各IP終端カードの出力可能な最大ATMセル数Tamax１、Tamax２、Tamax３の入力換算値は1/α1倍となるので、
【００３８】
【数６】
2006319800.tif 000008
【００３９】
各行の総和を行い、ASの各成分のＸ１、Ｘ２、Ｘ３を求める。
（６）式の和を、（１）式のMw、および（５）式のYwの関係を用いて変形すると、
【００４０】
【数７】
2006319800.tif 000009
【００４１】
また、（４）式の関係により、通知レベルβを用いると、Yw =βMwであるから、（７）式は、
【００４２】
【数８】
2006319800.tif 000010
【００４３】
本実施例１では、α１＝１であるから、（８）式は、
【００４４】
【数９】
2006319800.tif 000011
【００４５】
各IP終端カードへ平等に増加分送信量を割り当てると、Ｘ１＝Ｘ２＝Ｘ３となり、
この値をＸ０とすると、（９）式より、
【００４６】
【数１０】
2006319800.tif 000012
【００４７】
より一般的に、IP終端カード数がＮ個の場合は、（１０）式の分母３がN
となり、
【００４８】
【数１１】
2006319800.tif 000013
【００４９】
ただし、Ｘ０＝Ｘ１＝Ｘ２＝Ｘ３であり、各IP終端カードの増加分送信量である。
上記の説明により、各IP終端カードの出力可能なATMセル数は、（６）式より
【００５０】
【数１２】
2006319800.tif 000014
【００５１】
本実施例１の場合は、α１=1、N=３であるから、（１１）、（１２）式より
【００５２】
【数１３】
2006319800.tif 000015
【００５３】
ただし、上式でTamaxは、３個のIP終端カード総和の、最大ATMセル送信可能数である。
以上が、実施例１における各パラメータの関係であり、各IP終端カードがSWへ出力するATMセルデータ数を、（１３）式に示した、ATMセル送信可能数Tamax１、Tamax２、Tamax３を超えない様に、送信制御をすることにより、（１）式により、ＳＷ１０３の処理能力Mwを超えなくすることが出来る。
・  「実施例１のIP終端カードにおける信号処理フロー」
実施例１のIP終端カードにおける、具体的な信号処理の内容を、図５、図６により詳細に説明する。
【００５４】
図５はIP終端カードの詳細構成を示し、図６は、IP終端カードにおける信号処理のフローを示す。
【００５５】
図５において、IP終端カード全体は、図１における１０４と同じ配置位置とできるから、同一の番号１０４を付する。５０１は、ATMセル受信部、５０２は、受信バッファ、５０３は、パケット処理部、５０４は送信バッファ、５０５は、ATMセル送信部を示す。５０６は、タイミング受信部、５０７は、受信カウンタ部、５０８は、送信制御部、５０９は、演算部を示す。
【００５６】
また図５において、IP終端カード各部におけるデータのプロトコルスタックは、ATMセル受信部５１１、受信バッファ５０２では、ATMセルであり、パケット処理部５０３において、ATMセルが、AAL5、IPパケット、PDU,AAL2、ATMセルに変換され、送信バッファ５０４、ATMセル送信部５０５ではATMセルである。
【００５７】
データ図６において、Ｓ６０１は、ATMセルを受信するステップ、Ｓ６０２は、受信バッファにATMセルを格納するステップ、Ｓ６０３は、パケット処理部で受信データをプロトコル変換するステップ、Ｓ６０４は、送信バッファにデータを格納するステップ、Ｓ６０７は、受信カウンタよりATMセル数Raを受信するステップ、Ｓ６０８は、タイミング受信部より通知されるOL（β）によりASを算出するステップ、Ｓ６０９は、Tamaxを計算して、送信制御部に通知するステップ、Ｓ６１０は送信パケット数Taが送信可能数Tamaxを超えていないかを判断するステップ、Ｓ６１１は、送信パケット数Taをそのまま送信するステップ、Ｓ６１２は、送信パケット数Taを、Tamaxに制限して送信するステップ、Ｓ６１３は、ＡＴMセルを送信するステップを示す。
【００５８】
ただし、図６における各ステップの中の略号、Ｒa、OL、AS、AC、α、Tamax、Ta、Pa、ｋの意味は、図６の中に□で囲って示してある。
【００５９】
図５の構成図を参照しながら、図６の信号処理フローに沿って、信号処理の内容を説明する。
ＳＷからのATMセル信号は、ステップＳ６０１では、ATMセル受信部５０１で受信した後、ステップＳ６０２で受信バッファ５０２内に、すべての受信データが一時格納される。
【００６０】
ステップＳ６０３では、パケット処理部５０３が、受信したATMセルデータをIPパケットデータに変換し、プロトコル変換の信号処理を行う。パケット処理部５０３は、信号処理を完了したPa個のIPパケットデータを、データ数の変換比率ｋ倍でATMセルデータに変換する。従って、信号処理されたATMセルデータは、(Pa×k）となり送信バッファ５０４に出力される。
【００６１】
ステップＳ６０４では、信号処理されたATMセルデータを、前のタイミングまでに送信されずにバッファに滞留したデータに加えて、送信バッファ５０４に一時的に格納する。バッファ滞留のデータ数をACとすると、１つのタイミング区間全体において、バッファに格納される送信予定データ数Taは、処理されたデータ数(Pa×k）と、上記バッファ滞留データ数ACとの和であるから、（１４）式となる。
【００６２】
【数１４】
2006319800.tif 000016
【００６３】
ただし、本実施例１では、図４におけるIP処理カード内のデータ数に示したように、１個のIPパケットデータは、６個のATMセルに変換されて出力するので、ｋ＝６/１＝６である。
【００６４】
また、（１４）式の送信予定ATMセルデータ数Taは、送信バッファ５０４に格納された段階で１つのタイミング区間の全数が一度にカウントされる必要はない。後述するステップＳ６１０〜Ｓ６１４において、ATMセル送信部５０５が、送信バッファ５０４から送信予定データを１個づつ読み出し、読み出し指示をする送信制御部５０８が、送信データ数Taを１個づつカウントアップする。送信制御部５０８は、Taのカウント数が送信可能数Tamax になると、カウントアップを停止し、ATMセル送信部にデータ送信の一時停止を指示する。
【００６５】
ステップＳ６０７では、受信バッファ部５０２は、ATMセルを１セル格納完了すると、受信カウンタ部５０７に通知する。受信カウンタ部では、タイミング受信部より通知される先頭タイミングと次の先頭タイミングまでの間、受信ATMデータ数をカウントし続ける。この区間内のカウント数が、IP終端カード１０４１では、（１３）式の受信ATMセル数Ra1となる。
【００６６】
ステップＳ６０８では、演算部５０９が、タイミング受信部５０６で受信した、ＳＷからのタイミング信号の中に含まれる、ＳＷ出力通知レベル（OL）であるβの値から、増加分送信量（AS）であるX0を、（１１）式により計算する。
【００６７】
ステップＳ６０９では、演算部５０９が、本発明によるATMデータ制御の基準となるATM送信可能数Tamaxを、受信ATMセル数Ra、増加分送信量ASの情報から、（１３）式により計算し、送信制御部５０８に通知する。送信制御部５０８からの送信指示により、ATMセル送信部５０５は、送信バッファ５０４から送信予定データを１個づつ読み出し送信する。
【００６８】
ステップＳ６１０では、１個づつのデータ送信指示を行う送信制御部５０８が、読み出し指示したデータ数Taをカウントアップし、ステップＳ６０９により通知された、ATM送信可能数Tamax以内であるかどうかを判定する。そして、ステップＳ６１０の判定がyesであればステップＳ６１１により、送信制御部５０８は、ATMセルのSWへの送信をＡＴMセル送信部５０６に指示し、ATMセル送信部５０６より送信する。そして、送信制御部５０８は、Taに1を加算しTaをカウントアップする。
【００６９】
ステップＳ６１３では、ATMセル送信部が、送信バッファに送信ＡＴＭセルが滞留しているかどうかを読み出しにより確認し、滞留していればステップＳ６１０に戻り、滞留していなければ、送信する必要がないので、ステップＳ６１４によりＡＴＭセル送信を、次のタイミングまで停止する。
【００７０】
ステップＳ６１０において、送信制御部５０８は、送信データのカウント値TaがTamaxを超えると、ステップＳ６１０の判定はnoとなるので、ステップＳ６１２により、送信データ数をTamaxに制限する。この制限は、ステップS６１４により、送信制御部５０８が、ATMセル送信部５０５に、ATMセルの送信を、次のタイミングまで停止の指示を行うことにより実施される。
以上のフローにより、IP終端カードから送信されるATMセル数は、ATM送信可能数Tamaxを超えない様に制御できるので、ＳＷ１０３における、データの欠落を抑制することが出来る。
・  「実施例１のシミュレーション」
上記に説明した動作を、シミュレーションにより検証する。
【００７１】
図７に、本シミュレーションに用いた、パラメータを示す。
図７−１は、本発明による動作に関係する、各装置の最大データ処理能力を示す。
まず、図７−１に示すパラメータにより、本発明による送信制御を行わない場合を説明する。
【００７２】
移動交換機１０２から、SW１０３に入力する最大ATMセル数は、８０００ｐｐｓである。これは、SWカード処理能力＝１００００ｐｐｓ内であるから、ＳＷ１０３は、正常に動作し、３台のIP終端カードにATMセルデータを分配する。分配の例として、３０００ｐｐｓ、３０００ｐｐｓ、２０００ｐｐｓとする。これらがパケット変換効率のA（=１．５）倍されるので、各IP終端カードの出力ATMセル数は、３０００ｐｐｓ×１．５＝４５００ｐｐｓが２個、および、２０００ｐｐｓ×１．５＝３０００ｐｐｓが１個となるので、合計は、４５００ｐｐｓ×２＋３０００ｐｐｓ＝１２０００ｐｐｓとなり、SW１０３の処理能力１００００ｐｐｓを超えてしまう。
【００７３】
IP終端カードにおいてATMセルの出力数が入力数の１．５倍になる理由は、図４に示す様に、IP終端カードにてIPパケットの処理を行うと、入力ATMセル４個が、出力ATMセル６個に変換されるから、６/４＝１．５となる。この倍率をパケット変換効率  Aと称することとする。
【００７４】
さらに上記は、ＳＷ１０３のカウントした信号処理のタイミング区間と、IP終端カードがデータを処理したタイミング区間が同一として説明した。しかしながら、実際には、IP終端カードにおける、１組のATMセルデータの信号処理は、endセルを受信したタイミングで行われる。この場合、ＳＷ１０３がカウントした、２つの信号処理タイミング区間に亘るデータ数を、IP終端カードが１つのタイミング区間のデータとして処理することがある。
【００７５】
従って、バーストデータが時間的に増加している場合は、３個のIP処理カードが処理し、ＳＷ１０３に出力するデータ数は、上記の値１２０００ｐｐｓをさらに超えることも起きる。
【００７６】
上記に対応するため、各IP処理カードが実際に変換処理が完了したIPパケット数Paを使用し、（１４）式による送信予定のATMセル数Taと、（１３）式のATMセル送信可能数Tamaxと比較する。
【００７７】
また、SW１０３の出力は、ＳＷ１０３の処理性能＝１００００ｐｐｓ以下であるから、無線回線処理部は、処理能力＝２００００ｐｐｓ以内のデータを受信し正常に処理できる。即ち、本実施例１は、ＳＷカードの処理性能がボトルネックになった場合である。
【００７８】
図７−２に、SWから通知されたATM出力レベルに対する、IP終端カードの増加分送信量(AS)の関係を示す。
【００７９】
図において、出力帯域レベルは、（４）式のβに対応している。本実施例１において、出力帯域レベルは、βの０〜１の値を、４階級に等分して、β＝０．２５、０．５、０．７５、１．０にディジタル化される。即ち、βの小数点以下は、上記の４値に切り上げられる。例えば、SWの出力ATMセル数＝３０００ｐｐｓの時は、（４）式より、β＝３０００/１００００＝０．３であるので、出力帯域レベルはβ＝０．５とする。また、上記４つの出力帯域レベルの名称は、順に０，１，２，３とする。例に上げた上記のβ＝０．５の場合、出力帯域レベルの名称は１となる。
【００８０】
図７−２において、IP終端カード増加分送信量ASは、各出力帯域レベルのβの値、０．２５、０．５、０．７５、１．０に対して、（１０）式より計算したＸ０の値となる。例えば、上記と同じく、SWの出力ATMセル数＝３０００ｐｐｓの時は、ディジタル化されたβ＝０．５であるから、（１０）式より、X0=１００００×（１−０．５）/３＝１６６６→１５００となる。
【００８１】
図７−３では、本実施例１の場合、（３）式で説明した結果のパケット送信比率α＝１を与えている。
【００８２】
図８には、IP終端カードから送信するATMセルのデータ数について、本発明による方法で制御した場合のシミュレーション結果を示す。比較のため、本発明による制御を行わない場合のシミュレーション結果も示す。
【００８３】
制御を行わない場合は、８０１に示す様に、タイミング＝６と７において、送信ATMセルのデータ数は、ＳＷの最大処理能力１００００ｐｐｓを超えている。一方、制御した場合は、８０２に示す様に、すべてのタイミングで、送信するATMセルのデータ数は、ＳＷの最大処理能力１００００ｐｐｓ以下となっており、上記に説明した信号処理のフローにより、目的の効果が得られることがシミュレーションにより示されている。
【００８４】
本実施例１では、各IP終端カード１０４の出力の和を、ＳＷ１０３からの受信ATMセル数以下に制御することにより、IP終端カード１０４が出力したデータを、ＳＷ１０３の処理性能の範囲内に入れる事が出来る。
【００８５】
（実施例２）
この実施例においては、複数の信号処理部の出力データ量の和を、共通信号処理部で処理可能なデータ量として予め与えられた許容値以下に制御することとする。
【００８６】
本実施例の全体システム構成および、複数の信号処理部としてのIP終端カードの詳細構成は、実施例１と同一で、図１および図５による。
【００８７】
本実施例は、IP終端カード１０４から出力可能なデータ量の和が、図１の構成図における、共通信号処理部としての無線回線処理部１０５の処理能力で制限される場合である。
【００８８】
即ち、本実施例２は実施例１に比べ、IP終端カードへ１０４への入力データ数と、出力データ数の最大値が異なる、より一般的な場合の実施例である。
【００８９】
・「実施例２における、IP終端カードにおける送信制御」
一般的なATMセルデータ入力時のIP終端カード１０４における、ATMセルデータ数の制御の関係式を以下に示す。
【００９０】
IP終端カード−１、２、３への入力ATMセル数を、Ra1,Ra2, Ra3とし、出力制御した結果の、出力ATMセル数をTa1、Ta2、Ta3とすると、
【００９１】
【数１５】
2006319800.tif 000017
【００９２】
IP終端カードがATMセルを自動的にデータ処理する割合をAとし、パケット変換効率と称することとする。また、IP終端カードの増加分送信量を、（６）式で説明したと同じく、入力に換算してX1、X2、X3とすれば、
【００９３】
【数１６】
2006319800.tif 000018
【００９４】
ただし、Aは変換効率であり、IP終端カードがATMセルを自動的に、
信号処理する比率である。 
【００９５】
【数１７】
2006319800.tif 000019
【００９６】
ただし、Paは信号処理したIPパケット数であり、kはIPパケットがATMセルに変換される比率である。
【００９７】
IP終端カードの処理データの和と、処理データに加えて出力できるデータの送信増加分の和をT0とし、SWまたは、無線回線処理部へ出力可能な許容最大値を、Mwとすれば
（１５）、（１６）式より
【００９８】
【数１８】
2006319800.tif 000020
【００９９】
となる。
【０１００】
本実施例では、IP終端カードの出力可能なデータ数Mwと、ＳＷの処理能力が異なるので、後者をBwとする。SWからIP終端カードに入力するATNセル総数をTiとし、SWの最大処理能力Ｂｗとの比βについて、入力データ数Ra1、Ra2、Ra3をとの関係は、
【０１０１】
【数１９】
2006319800.tif 000021
【０１０２】
３個のIP終端カードにおいて、増加できるATMセル出力数を、同一としX0Oとすると、
【０１０３】
【数２０】
2006319800.tif 000022
【０１０４】
ただし、X1、X2、X3と（２０）式のX1O,X2O,X3Oとの関係は、信号処理の入力と出力であり、パケット変換効率Aを用いて、
【０１０５】
【数２１】
2006319800.tif 000023
【０１０６】
（１９）、（２０）、（２１）式を、（１８）式に代入すると、
【０１０７】
【数２２】
2006319800.tif 000024
【０１０８】
求めるIP終端カードの増加分送信量X0Oの入力換算値をX0とすれば、X0=X0O/Aを考慮すると、（２２）式より、
【０１０９】
【数２３】
2006319800.tif 000025
【０１１０】
この結果、３個のIP終端カード１０４１、１０４２、１０４３についての、ATM送信可可能数Ta1max、Ta2max、Ta3maxは、（１６）式におけるＸ１、Ｘ２、Ｘ３に、（２３）式によるＸ０を用いると求まり、
【０１１１】
【数２４】
2006319800.tif 000026
【０１１２】
即ち、各IP終端カードの出力データ数が、（２４）式で示されたATM送信可能数以下に、制御されると、最大値Mwを超えない。例えばIP終端カード１０４１の場合、入力したATMセル数Ra1に（２３）式によるX0を加えA倍した値が、ATM送信可能数となる。
【０１１３】
本実施例２における、IP終端カードの詳細構成は、実施例１で説明した、図５と同一である。
【０１１４】
・「実施例２の、IP終端カードにおける信号処理フロー」
実施例２におけるIP終端カードにおける、具体的な信号処理の内容で、図６において実施例１と異なるのは、ステップＳ６０９において計算するATM送信可能数Tamaxが、上記（２４）式に示した値になる違いだけである。  即ち、実施例１におけるステップＳ６０９の、Tamax=(Ra+AS)×αの計算が、本実施例２では、Tamax=(Ra+AS)×Aとなる。また、ASの数値X0の計算を行うため、実施例１では（１１）式を使用したが、本実施例２では、（２３）式を用いる。
【０１１５】
以上により、本実施例２では、IP終端カードから送信されるATMセル数は、ATM送信可能数Ｍｗを超えない様に制御できるので、データの欠落を抑制することが出来る。
・「実施例２の、IP終端カードにおける信号処理」
本実施例における、IP終端カード１０４における信号処理を、図９により詳細に説明する。
【０１１６】
図９において、９０１は移動交換機１０２における処理区間を示し、９０２はＳＷ１０３における処理区間を示し、９０３はIP終端カードにおける処理区間を示す。
【０１１７】
本実施例では、図の９０１の区間の処理に示す様に、移動交換機１０２は、１個のIPパケットを、４個のATMセルに変換して、SW１０３に出力する。SW１０３は、前記のATMセルを、ATMスイッチ機能により、複数のIP終端カード（本実施例では３個のIP終端カード）に分配するだけで、プロトコルスタックのレイヤはATMセルのままである。図９において、区間９０３では、１個のIP終端カードに置けるレイヤ変化を示すが、他の２個のIP終端カードでも、区間９０３の信号処理によるレイヤ変化は同じである。
【０１１８】
図９の区間９０３において、IP終端カード１０４では、受信した４個のATMセルにより、１組のIPパケットを組み上げ、単位データとする。そして、IPパケットのレイヤにて、マルチメディア信号処理装置１０１として必要な信号処理を行う。次に、IP終端カード１０４は、CRC符号の追加や、バイト数の整合のための符号追加（Padding）などを行い、１個のIPパケットに対し、３個のPDUレイヤに変換して、無線回線処理部１０５と通信するための信号処理を行う。最後にこの３個のPDUデータに対し、３個のATMセルに変換して、SW１０３に送信する。従って、パケット変換効率A＝３/４＝０．７５である。
・「実施例２のシミュレーション」
上記の説明した動作を、シミュレーションにより検証する。
【０１１９】
図１０に、本シミュレーションに用いた、パラメータを示す。
図１０−１は、本発明による動作に関係する、各装置の最大データ処理能力を示す。
まず、図１０−１に示すパラメータにより、本発明による送信制御を行わない場合を説明する。
【０１２０】
移動交換機１０２から、SW１０３に入力する最大ATMセル数は、８０００ｐｐｓである。これは、SW１０３の信号処理能力＝１００００ｐｐｓ内であるから、ＳＷ１０３は正常に動作し、ATMスイッチ動作により、３台のIP終端カード１０４１，１０４２，１０４３にATMセルデータを分配する。ATMセルデータは、ＩＰ終端カードで信号処理されると、信号処理結果のATMセル数は、入力ATMセル数に比べ、パケット変換効率A＝０．７５倍され、最大、８０００×０．７５＝６０００ｐｐｓとなる。１個ごとのIP終端カードに対して説明すると、例えば、ＳＷ１０３からのATMセルデータ数８０００ｐｐｓが、３個のIP終端カードへ、３０００ｐｐｓ、３０００ｐｐｓ、２０００ｐｐｓと分配されたとする。これらが変換効率のA（=０．７５）倍されるると、３個のIP終端カードの信号処理結果のATMセルデータ数は、それぞれ、３０００ｐｐｓ×０．７５＝２２５０ｐｐｓが２個、および、２０００ｐｐｓ×０．７５＝１５００ｐｐｓが１個となるので、合計は、２２５０ｐｐｓ×２＋１５００ｐｐｓ＝６０００ｐｐｓとなる。
【０１２１】
このIP終端カードの出力データ数の和６０００ｐｐｓは、ＳＷの処理性能１００００ｐｐｓ以下であるから、ＳＷ処理は正常に行えるが、無線回線終端部１０５の処理性能６０００ｐｐｓと丁度一致する。
【０１２２】
しかしながら、上記は、ＳＷ１０３のカウントした信号処理のタイミング区間と、IP終端カードがデータを処理したタイミング区間が同一の場合である。実際には、IP終端カードは、１組のATMセルデータの信号処理を、endセルを受信したタイミングで行うので、ＳＷ１０３のカウントする信号処理のタイミング区間を基準とすると、IP終端カードの信号処理は、ＳＷ１０３の２つのタイミング区間にまたがることがある。
【０１２３】
従って、バーストデータが時間的に増加している場合、３個のIP処理カードの処理するデータ数は、上記の値６０００ｐｐｓを超えることが起き、無線回線処理部１０５の処理能力を超える可能性がある。
【０１２４】
上記に対応するため、本実施例２では、実際に変換処理が完了したIPパケット数Paを使用し、（１４）式による送信予定のATMセル数Taと、（２４）式によるATMセル送信可能数Tamaxとを比較する。
【０１２５】
本実施例２では、図９に示す様に、IP終端カードにおいて信号処理したIPパケットデータ１個が、３個のATMセル数に変換されるので、k＝３/１＝３を（１４）式に適用する。
【０１２６】
即ち、本実施例２は、SW１０３への入力データ数は、１００００ｐｐｓ以下で処理性能内であるが、無線回線処理部１０５の処理性能６０００ｐｐｓの処理能力を超える場合があるから、無線回線処理部１０５がボトルネックとなる。
【０１２７】
図１０−２には、SWから通知されたATM出力レベルに対する、IP終端カードの増加分送信量(AS)の関係を示す。図において、出力帯域レベルの名称は、実施例１と同じである。
【０１２８】
図１０−２において、IP終端カード増加分送信量ASは、各出力帯域レベルのβの値、０．２５、０．５、０．７５、１．０に対して、（２３）式より計算したＸ０の値である。例えば、SWの出力ATMセル数＝３０００ｐｐｓの時は、ディジタル化されたβは、３０００/１００００＝０．３→０．５であるから、（２３）式より、X0=（６０００−０．５×１００００×０．７５）/（３×０．７５）＝１０００（ｐｐｓ）となる。
【０１２９】
図１０−３では、本実施例２の場合のパケット変換効率A=０．７５を与えている。
【０１３０】
図１１には、IP終端カードから送信するATMセルのデータ数について、本発明による方法で、制御した場合のシミュレーション結果を示す。比較のため、本発明による制御を行わない場合のシミュレーション結果も示す。
【０１３１】
制御を行わない場合は、１１０１に示す様に、タイミング＝６と７において、無線回線処理部１０５の最大処理能力６０００ｐｐｓを超えている。一方、制御した場合は、１１０２に示す様に、すべてのタイミングで、無線回線処理部１０５の最大処理能力６０００ｐｐｓ以下となっており、上記に説明した信号処理のフローにより、目的の効果が得られることがシミュレーションにより示されている。
【０１３２】
本実施例２では、各IP終端カード１０４の出力の和を、無線回線処理部１０５のATMセル数処理性能以下に制御することにより、IP終端カード１０４が出力したデータを、各装置の処理範囲内に入れる事が出来る。
【０１３３】
（実施例３）
この実施例においては、無線回線における、フェージングによる信号対雑音比の低下によるデータ誤り等により、自動再送機能（ARQ）が働き、再送データが発生する場合、複数の信号処理部としてのID終端カードの出力数に、再送データ数を含めた総和を、共通信号処理部で処理可能なデータ量の最大値以下に制御することとする。
【０１３４】
本実施例の全体システム構成は、実施例１と同じで図１であり、共通信号処理部はＳＷ１０３である。
【０１３５】
・「実施例３の、IP終端カードにおける信号処理フロー」
実施例３のIP終端カードにおける、具体的な信号処理の内容を、図１２、図１３により詳細に説明する。
【０１３６】
図１２はIP終端カードの詳細構成を示し、図１３は、IP終端カードにおける信号処理のフローを示す。
【０１３７】
図１２において、１２０１は、再送処理部、１２０２は再送バッファを示し、その他は、図５と同じであるから同一の番号を付した。
図１３において、実施例１と同じステップは、同一の番号が付してあり、動作も同一である。
Ｓ１３０１は、再送バッファにデータを格納するステップである。
図１２の構成図を参照しながら、図１３の信号処理フローに沿って、信号処理の内容を説明する。
【０１３８】
本実施例では、自動再送機能の要求により、再送データが発生した場合、ステップＳ１３０１において、再送処理部１２０１が再送要求を認識し、再送バッファ１２０２に通知し、再送バッファ１２０２は、パケット処理部から、再送データを格納する。格納された再送データは、ステップＳ６０４にて処理データに重畳され、送信予定のデータとして送信バッファ５０４に格納される。
【０１３９】
ステップＳ６０７〜Ｓ６１４の動作は、実施例１と同じである。ステップＳ６１０〜Ｓ６１４にて、送信バッファから読み出すデータ数Taに、再送データ数Aqが付加される所が、異なるのみである。
【０１４０】
以上のフローにより、再送データが発生した時、IP終端カード１０４から送信されるATMセル数は、ATM送信可能数Tamaxを超えない様に制御できるので、ＳＷ１０３における、データの欠落を抑制することが出来る。
・  「実施例３のシミュレーション」
上記に説明した動作を、シミュレーションにより検証する。
【０１４１】
本シミュレーションに用いた、パラメータは図７に示し、実施例１と同じである。
【０１４２】
本実施例３において、図７−１に示すパラメータにより、本発明による送信制御を行わない場合を説明する。
【０１４３】
移動交換機１０２から、SW１０３に入力する最大ATMセル数は、８０００ｐｐｓである。これは、SW１０３の信号処理能力＝１００００ｐｐｓ内であるから、ＳＷ１０３は正常に動作し、ATMスイッチ動作により、３台のIP終端カードに、ATMセルデータを分配する。分配の例として、３０００ｐｐｓ、３０００ｐｐｓ、２０００ｐｐｓとする。これらがパケット変換効率のA（=１．５）倍されると、各IP終端カードの出力ATMセル数は、それぞれ、３０００ｐｐｓ×１．５＝４５００ｐｐｓが２個、および、２０００ｐｐｓ×１．５＝３０００ｐｐｓが１個となるので、合計は、４５００ｐｐｓ×２＋３０００ｐｐｓ＝１２０００ｐｐｓとなる。本実施例３では、再送データ数Aqが、上記の１２０００ｐｐｓに加わる。  IP終端カードの処理性能は、図７−１より、再送データを含め５０００ｐｐｓであるから、  IP終端カード３台の処理結果の合計としては、５０００×３＝１５０００ｐｐｓとなる可能性がある。
【０１４４】
この、ATMセルデータ数１５０００ｐｐｓは、SW１０３の処理性能１００００ｐｐｓを超えており、このままでは、ＳＷ１０３においてデータ欠落が発生する。
【０１４５】
無線回線処理１０５の処理性能は、２００００ｐｐｓであり、ＳＷ１０３の信号処理能力１００００ｐｐｓより大きいので、本実施例３のボトルネックは、ＳＷ１０３である。
【０１４６】
図１４に、IP終端カード１０４で処理したATMセルデータと送信バッファ滞留データに、再送データが付加した場合、本発明による方法で、制御した場合のシミュレーション結果を示す。比較のため本発明による制御を行わない場合のシミュレーション結果も示す。
【０１４７】
制御を行わない場合は、１４０１に示す様に、タイミング＝６と７、および９において、ＳＷ１０３の最大処理能力１００００ｐｐｓを超えている。一方、制御した場合は、１４０２に示す様に、すべてのタイミングで、ＳＷ１０３の最大処理能力１００００ｐｐｓ以下となっており、上記に説明した信号処理のフローにより、目的の効果が得られることがシミュレーションにより示されている。
【０１４８】
本実施例３では、ID終端カード１０４の出力数に、再送データ数を含めた総和を、入力パケットデータの最大値以下に制御することにより、IP終端カード１０４が出力したデータを、ＳＷ１０３の処理性能の範囲内に入れる事が出来る。
【図面の簡単な説明】
【０１４９】
【図１】マルチメディア信号処理装置を備えたシステム構成図を示す図である。
【図２】IP終端カードへの入力と出力データの例を示す図である。
【図３】各部のプロトコルスタックを示す図である。
【図４】実施例１と３のデータ変換フローを示す図である。
【図５】実施例１と２におけるIP終端カードの構成を示す図である。
【図６】実施例１と２のIP終端カードにおける信号処理のフローを示す図である。
【図７】実施例１と３のシミュレーションに用いたパラメータを示す図である。
【図８】実施例１のシミュレーション結果を示す図である。
【図９】実施例２のデータ変換フローを示す図である。
【図１０】実施例２のシミュレーションに用いたパラメータを示す図である。
【図１１】実施例２のシミュレーション結果を示す図である。
【図１２】実施例３におけるIP終端カードの構成を示す図である。
【図１３】実施例３のIP終端カードにおける信号処理のフローを示す図である。
【図１４】実施例３のシミュレーション結果を示す図である。
【符号の説明】
【０１５０】
１０１  マルチメディア信号処理装置
１０２  移動交換機
１０３  ATMスイッチ
１０４  IP終端カード
１０５  無線回線処理部
１０６  無線基地局
１０７  移動端末
３０１  移動交換機のプロトコルスタック
３０２  IP終端カードのプロトコルスタック
３０３  無線回線処理部のプロトコルスタック
４０１  移動交換機における信号処理
４０２  SWにおける信号処理
４０３  IP終端カードにおける信号処理
５０１  ATMセル受信部
５０２  受信バッファ
５０３  パケット処理部
５０４  送信バッファ
５０５  ATMセル送信部
５０６  タイミング受信部
５０７  受信カウンタ部
５０８  送信制御部
５０９  演算部
８０１  実施例１の制御なしデータ数
８０２  実施例１の制御ありデータ数
９０１  移動交換機における信号処理
９０２  ＳＷにおける信号処理
９０３  IP終端カードにおける信号処理
１１０１  実施例２の制御なしデータ数
１１０２  実施例２の制御ありデータ数
１２０１  再送処理部
１２０２  再送バッファ
１４０１  実施例３の制御なしデータ数
１４０２  実施例３の制御ありデータ数
【図１】
2006319800.tif 000027
【図２】
2006319800.tif 000028
【図３】
2006319800.tif 000029
【図４】
2006319800.tif 000030
【図５】
2006319800.tif 000031
【図６】
2006319800.tif 000032
【図７】
2006319800.tif 000033
【図８】
2006319800.tif 000034
【図９】
2006319800.tif 000035
【図１０】
2006319800.tif 000036
【図１１】
2006319800.tif 000037
【図１２】
2006319800.tif 000038
【図１３】
2006319800.tif 000039
【図１４】
2006319800.tif 000040